(57)【特許請求の範囲】
【請求項１】
浴室内に設置される給湯器であってその本体部から延びるホースの先端に設けたシャワーヘッドから出湯する機能を備えたものにおいて、
シャワーハンガ部材と、受け部とを有し、
前記シャワーハンガ部材は、横長形状を成し、その長手方向のいずれか一方の端部寄りにシャワーヘッド掛止部を有し、
前記受け部は、前記給湯器の本体部に形成され、前記シャワーハンガ部材をその表面を上方に向けた表姿勢と裏面を上方に向けた裏姿勢のいずれであっても保持可能に構成されていることを特徴とする給湯器。
【請求項２】
前記シャワーヘッドは、前記ホースとの接続部側の端部が先細りの形状を成しており、前記シャワーヘッド掛止部は、前記シャワーヘッドの前記端部が嵌入される略円筒状の切り欠き部を有し、前記切り欠き部は上下両端から軸方向の中心に向かってその内径が前記シャワーヘッドの前記端部の形状に合わせて次第に小さくなるよう上下対象に構成されていることを特徴とする請求項１記載の給湯器。
【請求項３】
前記受け部は、前記シャワーハンガ部材を着脱可能に保持するものであることを特徴とする請求項１または２記載の給湯器。
【発明の詳細な説明】
【０００１】
【発明の属する技術分野】
本発明は、浴室内に設置される給湯器であってその本体部から延びるホースの先端に設けたシャワーヘッドから出湯する機能を備えたものに関する。
【０００２】
【従来の技術】
従来、浴室内に設置する給湯器は、通常、図９に示すように、浴槽３００に併置して使用される。また、シャワー機能付きの給湯器では、先端にシャワーヘッドを有する出湯用ホースが本体部３０１から延設されているとともに、本体部３０１の正面の左右いずれか一方の端部寄りに、シャワーヘッドを引っ掛けるためのシャワーハンガ３０２が固定的に設けられている。
【０００３】
シャワーハンガ３０２は、シャワーヘッドを引っかけた状態であっても、図９の矢印３０４で示すように出湯用カラン３０５を洗い場側に大きく回動し得るように、通常は、浴室の壁寄り、すなわち、反浴槽側に設けられる。
【０００４】
【発明が解決しようとする課題】
しかしながら、図１０に示すように、上述の給湯器を浴槽３００の右側に設置すると、シャワーハンガ３０２が浴槽側に来るので、シャワーヘッドを引っかけた状態ではこれが邪魔し、出湯用カラン３０５の回動可能な範囲が矢印３０６で示す位置までに制限され、洗い場側に大きく回動できず、使い難くくなる。
【０００５】
そこで、従来は、シャワーハンガ部を浴槽の左側に設置されるタイプの給湯器用と、浴槽の右側に設置されるタイプの給湯器用の２種類用意し、適切なものを生産時に選択していたが、シャワーハンガ部を２種類用意するため、製造価格が上昇するとともに部品の在庫管理が煩雑になるという問題があった。また、設置後に、使用者の好みに応じてシャワーハンガの引っかけ位置を変更することはできなかった。
【０００６】
本発明は、このような従来の技術が有する問題点に着目してなされたもので、シャワーヘッドの引っかけ位置を左右いずれにでも設定することのできる給湯器を提供することを目的としている。
【０００７】
【課題を解決するための手段】
かかる目的を達成するための本発明の要旨とするところは、次の各項の発明に存する。
［１］浴室内に設置される給湯器であってその本体部（２０）から延びるホース（２５）の先端に設けたシャワーヘッド（５０）から出湯する機能を備えたものにおいて、
シャワーハンガ部材（３０）と、受け部（４０）とを有し、
前記シャワーハンガ部材（３０）は、横長形状を成し、その長手方向のいずれか一方の端部寄りにシャワーヘッド掛止部（３１）を有し、
前記受け部（４０）は、前記給湯器の本体部（２０）に形成され、前記シャワーハンガ部材（３０）をその表面を上方に向けた表姿勢と裏面を上方に向けた裏姿勢のいずれであっても保持可能に構成されていることを特徴とする給湯器。
【０００８】
［２］前記シャワーヘッド（５０）は、前記ホース（２５）との接続部側の端部が先細りの形状を成しており、前記シャワーヘッド掛止部（３１）は、前記シャワーヘッド（５０）の前記端部が嵌入される略円筒状の切り欠き部を有し、前記切り欠き部は上下両端から軸方向の中心に向かってその内径が前記シャワーヘッド（５０）の前記端部の形状に合わせて次第に小さくなるよう上下対象に構成されていることを特徴とする［１］記載の給湯器。
【０００９】
［３］前記受け部（４０）は、前記シャワーハンガ部材（３０）を着脱可能に保持するものであることを特徴とする［１］または［２］記載の給湯器。
【００１０】
前記本発明は次のように作用する。
シャワーハンガ部材（３０）は、横長形状を成し、その長手方向のいずれか一方の端部寄りにシャワーヘッド掛止部（３１）を有しているので、給湯器の本体部（２０）に形成された受け部（４０）に、表面を上方に向けた表姿勢でシャワーハンガ部材（３０）を取り付けるか、裏面を上方に向けた裏姿勢で取り付けるかによって、シャワーヘッド掛止部（３１）を右寄りと左寄りのいずれに配置するかを選択することができる。
【００１１】
また、シャワーヘッド掛止部（３１）を、上下両端から軸方向の中心に向かって内径が次第に小さくなる上下対象な略円筒状に形成したので、シャワーハンガ部材（３０）を表姿勢と裏姿勢のいずれに取り付けても、シャワーヘッド（５０）が回動しないよう適切に保持することができる。
【００１２】
なお、シャワーハンガ部材（３０）を着脱可能に保持するように受け部（４０）を構成することにより、使用者等は、自己の好みに応じてシャワーヘッド（５０）の引っかけ位置を左右のいずれにも変更することができる。
【００１３】
【発明の実施の形態】
以下、図面に基づき本発明一実施の形態を説明する。
各図は本発明の一実施の形態を示している。
図２に示すように、本実施の形態にかかる風呂釜機能付き給湯器１０は、縦長であって幅の狭い略箱型の形状を成しており、その本体部２０の上部手前側の端部には、シャワーハンガ部材３０を着脱可能に保持する受け部４０が形成されている。なお、本実施の形態にかかる風呂釜機能付き給湯器１０は、洗い場側から見て浴槽の左横に設置されるものであり、本体部２０の右側面から浴槽内の循環金具に接続されるパイプ２７が突出している。
【００１４】
本体部２０の上面であって受け部４０のすぐ奥手には、湯温などを設定するためのスイッチ類と設定温度等を表示するための表示部とを備えた操作パネル部２１が配置されている。操作パネル部２１のさらに奥手には、点火や消火の操作を行うための操作ノブ２２、２３が配置されている。これら操作ノブ２２、２３のさらに奥手であって本体部２０の上面右寄りには、出湯用カラン２４が設けられている。また操作ノブ２２、２３の奥手左寄りの所定箇所からは、先端にシャワーヘッド５０の取り付けられたシャワーホース２５が延設されている。また操作ノブ２２、２３の奥手中央には、出湯先を出湯用カラン２４とシャワーヘッド５０のいずれかに切り替えるための切替ノブ２６が配置されている。
【００１５】
図１は、シャワーハンガ部材３０および本体部２０に設けた受け部４０の概略構成を示している。シャワーハンガ部材３０は、横長形状を成しており、その長手方向（幅方向）の一端部寄りにシャワーヘッド５０を引っかけるためのシャワーヘッド掛止部３１を有している。シャワーヘッド掛止部３１は、シャワーヘッド５０の端部が嵌入される略円筒状の切り欠き部３２で構成されている。切り欠き部３２は、図３に示すように、その上下端から中心に向かって内径が次第に小さくなるよう上下対象に構成されている。シャワーヘッド５０は、図２に示すようにシャワーホース２５との接続部に向けて端部５１が先細りの形状を成しており、切り欠き部３２の上下端から中心に向かうテーパは、シャワーヘッド５０の端部５１の先細り形状に合わせて形成されている。
【００１６】
シャワーハンガ部材３０の左右両側面には、奥行き方向に延びる溝３３（図１）がそれぞれ形成されている。またシャワーハンガ部材３０の背面からは４本の爪３４が突出している。これら４本の爪３４は、シャワーハンガ部材３０背面上部の左右と背面下部の左右にそれぞれ１本ずつ設けられている。なお、シャワーハンガ部材３０は、シャワーヘッド掛止部３１を除く他の部分を上下左右対称に形成してある。またシャワーハンガ部材３０は、背面側が開口しており、内部は中空になっている。
【００１７】
受け部４０は、シャワーハンガ部材３０の形状に合わせて略コの字型に形成されており、その左右両内壁面には、シャワーハンガ部材３０の溝３３に嵌合するように手前から奥手方向に延びる角形棒状のガイドレール４１がそれぞれ形成されている。また略コの字型に形成された受け部４０の奥側内壁面４２には、シャワーハンガ部材３０の背面に設けた４本の爪３４に対応して設けられた４つの穴部４３が形成されている。これら穴部４３は、図６に示すように爪３４に対応した形状の凹部を成しており、当該箇所から受け部４０内に水が侵入しないようになっている。
【００１８】
奥側内壁面４２の下部中央は、一部切り欠かれており、そこからフック４４が突出している。この切り欠き部は、図５に示すように、その内側に周壁が形成されており、当該箇所から受け部４０内への水の侵入が防止されている。図４は、フック４４を下方から見た様子を示している。フック４４は、受け部４０の底面を構成する部材４５と一体に形成されている。また底面を構成する部材４５のうちフック４４の左右両側に、溝状の切り欠き４６を設けてある。なお、シャワーハンガ部材３０および受け部４０はともに樹脂で形成されている。
【００１９】
図５は、シャワーハンガ部材３０を受け部４０に装着した状態の断面を表している。この図はシャワーハンガ部材３０の幅方向の中心位置における縦断面を示している。フック４４は、奥側内壁面４２から突出する部分が底面を構成する部材４５よりも一段高くなるようにクランク状に屈曲しており、先端部はかぎ針状に形成してある。シャワーハンガ部材３０の内壁面には、受け部４０に装着した状態でフック４４のかぎ針状の先端部４７と係合するための帯状突起部３５が上下対象に設けられている。
【００２０】
図６は、シャワーハンガ部材３０を受け部４０に装着した状態であって爪３４のある部分における断面を示している。シャワーハンガ部材３０の背面から突出する４本の爪３４は、シャワーハンガ部材３０を受け部４０に装着した際に、対応する位置に設けられた受け部４０側の４つの穴部４３にそれぞれ嵌入するようになっている。
【００２１】
シャワーハンガ部材３０は、図１に示すような位置から、ガイドレール４１に溝３３を沿わせて奥手方向に押し込むことにより受け部４０に装着される。このとき、シャワーハンガ部材３０の各爪３４が受け部４０側の穴部４３にそれぞれ嵌入するとともに、フック４４の先端部４７とシャワーハンガ部材３０内部の帯状突起部３５とが係合するようになっている。このように４本の爪３４が受け部４０側の穴部４３に嵌入するので、シャワーハンガ部材３０の内部が中空であっても上下方向からの押圧によりシャワーハンガ部材３０自体が変形せず、ひいては、フック４４の先端部４７とシャワーハンガ部材３０内部の帯状突起部３５とをしっかりと係合させることができる。
【００２２】
なお、図５に示すようにフック４４を裏面から矢印６１で示す方向に押し上げた状態でシャワーハンガ部材３０を手前に引くことによって、受け部４０からシャワーハンガ部材３０を取り外すことが可能になっている。
【００２３】
次に作用を説明する。
シャワーハンガ部材３０は、横長形状を成し、その長手方向のいずれか一方の端部寄りにシャワーヘッド掛止部３１を有しており、かつ表面を上方に向けた表姿勢と裏面を上方に向けた裏姿勢のいずれでも風呂釜本体部の受け部４０に取り付けることができるので、１種類のシャワーハンガ部材３０を用意するだけで、シャワーヘッド５０の引っかけ位置を本体部２０の左寄りと右寄りのいずれにも設定することができる。
【００２４】
たとえば、図７に示すように浴槽８０の左側に設置される風呂釜機能付き給湯器１０ａでは、シャワーヘッド掛止部３１が反浴槽側である左寄りに来るようにシャワーハンガ部材３０を取り付ければ、これにシャワーヘッド５０を引っかけた状態であっても、出湯用カラン２４を洗い場側に大きく回動させることが可能になる。
【００２５】
一方、図８に示すように浴槽８０の右側に設置される風呂釜機能付き給湯器１０ｂでは、図７の場合と上下左右を反転させてシャワーハンガ部材３０を取り付ければ、シャワーヘッド掛止部３１が反浴槽側である右寄りに来るので、これに引っかけたシャワーヘッド５０によって邪魔されず出湯用カラン２４の回動範囲を広く確保することができる。これにより、シャワーハンガを、左タイプと右タイプの２種類用意する必要がなく、製造価格の低減と部品管理の手間の軽減を図ることができる。
【００２６】
また、図７、図８のようにシャワーハンガ部材３０を取り付けることで、シャワーヘッド５０の引っかけ位置が浴室の壁側になるので、通常、浴槽側に居るであろう使用者にとって操作パネル部２１の視認性および操作性が向上する。
【００２７】
さらに、シャワーハンガ部材３０を容易に着脱することができるので、工場出荷の際に設定した向きにかかわらず、使用者がその好みに応じてシャワーヘッド５０の引っかけ位置を左右のいずれにも変更することができる。
【００２８】
また、シャワーハンガ部材３０に設けたシャワーヘッド掛止部３１を構成する切り欠き部３２が、上下端から軸方向の中心に向かってその内径がシャワーヘッド５０の先細りの形状に合わせて次第に小さくなるよう上下対象に形成されているので、シャワーハンガ部材３０を表姿勢と裏姿勢のいずれに取り付けても、シャワーヘッド５０を適切に保持することができる。すなわち、シャワーヘッド５０をシャワーヘッド掛止部３１の上下いずれの方向からはめ込んだ場合であっても、シャワーヘッド掛止部３１側のテーパのついた内周面とシャワーヘッド５０の端部５１のこれまたテーパのついた外周面とが面接触するので、シャワーヘッド５０が容易に回動せず、引っかけたシャワーヘッド５０の向きがシャワーの出る勢いで変わってしまうようなことがない。
【００２９】
以上説明した実施の形態では、シャワーハンガ部材３０が受け部４０に着脱可能になっているが、工場で取り付けた向きのままで良ければ、一度装着した後はシャワーハンガ部材３０を取り外すことができないように構成してもよい。また、シャワーハンガ部材３０を受け部４０に取り付ける機構は、実施の形態に示したものに限られない。たとえば、シャワーハンガ部材の内部が中空でなければ、爪３４、穴部４３を設ける必要はない。また、ガイドレール４１および溝３３を一方の側面にそれぞれ２本ずつ設けるようにしてもよい。
【００３０】
さらに、実施の形態では、シャワーハンガ部材３０を受け部４０の手前から奥にスライドさせて装着するように構成したが、たとえば、上方からはめ込むようにしてもよい。またフック４４の先端部４７とシャワーハンガ部材３０の内部に設けた帯状突起部３５とを係合させることで、シャワーハンガ部材３０を受け部４０から抜けないように固定したが、固定方法はこれに限るものではなく、たとえば、ねじ止めであってもよい。
【００３１】
【発明の効果】
本発明にかかる給湯器によれば、横長形状を成したシャワーハンガ部材の長手方向の一端部にシャワーヘッド掛止部を設けるとともに、これをその表面を上方に向けた状態と上下左右を反転した状態のいずれであっても本体部の受け部に取り付け可能に構成したので、１種類のシャワーハンガ部材を用意するだけで、シャワーヘッドの引っかけ位置を右寄りと左寄りのいずれにでも任意に設定することができる。
【００３２】
これにより、シャワーハンガを、左タイプと右タイプの２種類用意する必要がなく、製造価格の低減と部品管理工数の軽減を図ることができる。また給湯器が浴槽の左右いずれに設置されても、シャワーヘッドの引っかけ位置を反浴槽側に設定できるので、引っかけたシャワーヘッドが邪魔にならず、出湯用カランを洗い場側に大きく回動させることができる。さらに、シャワーハンガ部材を着脱可能に構成したものでは、工場出荷後にシャワーヘッドの引っかけ位置を使用者の好みに応じて任意に変更することができる。
【００３３】
また、シャワーヘッド掛止部を成す切り欠き部を、上下端から中心に向かってその内径がシャワーヘッドの先細りの形状に合わせて次第に小さくなるよう上下対象に形成したので、シャワーハンガ部材を表姿勢と裏姿勢のいずれで取り付けても、シャワーヘッドを適切に保持することができ、シャワーの出る勢いなどでシャワーヘッドが容易に向きを変えてしまうことがない。
【図面の簡単な説明】
【図１】本発明の一実施の形態に係る風呂釜機能付き給湯器の有するシャワーハンガ部材および受け部を示す斜視図である。
【図２】本発明の一実施の形態に係る風呂釜機能付き給湯器を示す斜視図である。
【図３】本発明の一実施の形態に係る風呂釜機能付き給湯器の有するシャワーハンガ部材のシャワーヘッド掛止部を示す断面図である。
【図４】受け部の有するフックを底面を構成する部材側から見た様子を示す説明図である。
【図５】シャワーハンガ部材を受け部に装着した状態を示す断面図である。
【図６】シャワーハンガ部材を受け部に装着した状態を示す断面図である。
【図７】浴槽の左側に風呂釜機能付き給湯器を設置した場合に、シャワーヘッド掛止部が反浴槽側になるようにシャワーハンガ部材を装着した様子を示す説明図である。
【図８】浴槽の右側に風呂釜機能付き給湯器を設置した場合に、シャワーヘッド掛止部が反浴槽側になるようにシャワーハンガ部材を装着した様子を示す説明図である。
【図９】従来から使用されている給湯器を浴槽の左側に設置した状態を示す説明図である。
【図１０】従来から使用されている給湯器を浴槽の右側に設置した状態を示す説明図である。
【符号の説明】
１０…風呂釜機能付き給湯器
２０…本体部
２４…出湯用カラン
２５…シャワーホース
３０…シャワーハンガ部材
３１…シャワーヘッド掛止部
３２…切り欠き部
３３…溝
３４…爪
３５…帯状突起部
４０…受け部
４１…ガイドレール
４３…穴部
４４…フック
４６…溝状の切り欠き
４７…かぎ針状の先端部
５０…シャワーヘッド
８０…浴槽
【図１】
0003822750.tif 000002
【図２】
0003822750.tif 000003
【図３】
0003822750.tif 000004
【図４】
0003822750.tif 000005
【図５】
0003822750.tif 000006
【図６】
0003822750.tif 000007
【図７】
0003822750.tif 000008
【図８】
0003822750.tif 000009
【図９】
0003822750.tif 000010
【図１０】
0003822750.tif 000011